【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
着座面を形成する便座ケーシングと、
前記便座ケーシング内に内蔵され前記着座面を暖房するヒータと、
前記着座面の温度を非接触で検出する非接触温度検出器と、
前記ヒータを制御する制御手段を備え、
前記ヒータは前記着座面の温度を１秒間に１度以上温度上昇させるものであり、前記制御手段は、前記ヒータにより前記非接触温度検出器で検出する前記着座面の温度をフィードバック制御する便座装置。
【請求項２】
非接触温度検出器は便座の外部に設けた請求項１記載の便座装置。
【請求項３】
便座ケーシングを取り付けた本体部を更に有し、非接触温度検出器は前記本体部に設けた請求項１または２記載の便座装置。
【請求項４】
便座ケーシングの上に被せる便蓋を備え、非接触温度検出器は前記便蓋に設けた請求項１または２記載の便座装置。
【請求項５】
非接触温度検出器は非接触温度検出器自身の温度を検出する基準温度検出器を有し、便蓋が開成状態にあるときは、前記基準温度検出器が検出する温度に基づき通電制御手段がヒータの通電を制御する請求項４記載の便座装置。
【請求項６】
便蓋を開閉する開閉制御手段を更に有し、非接触温度検出器が検出した温度が所定温度以上になると前記開閉制御手段により便蓋を開ける請求項４記載の便座装置。
【請求項７】
便蓋を開閉する開閉制御手段と、人体が近づいたことを検出する人体検出手段を更に有し、前記人体検出手段が人体を検出すると前記開閉制御手段により便蓋を閉成する請求項４から６のいずれか１項記載の便座装置。
【請求項８】
非接触温度検出器は赤外線検出素子を含む請求項１〜７のいずれか１項記載の便座装置。
【手続補正２】
【補正対象書類名】明細書
【補正対象項目名】全文
【補正方法】変更
【補正の内容】
【発明の詳細な説明】
【発明の名称】便座装置
【技術分野】
【０００１】
本発明は便座装置に関するものであり、特に高速で着座面を加熱する便座装置に関するものである。
【背景技術】
【０００２】
従来より、便座に着座するときの快適感を向上させるために、便座にヒータを内蔵し加熱しておくことが行われている。そして、便座を加熱して待機するのでなく、非使用時にはヒータに通電せず、人が便座に近づいたことを検知すると、そこからヒータに通電して実際に着座するまでのわずかな時間の間に適温まで一気に加熱することで省エネ効果を高めたものがある。
【０００３】
このように高速で加熱する便座においては、便座の温度を検出することが困難であるという課題がある。即ち、便座の温度は急激に変化することに対して温度検出が追従できず、温度検出の遅れが生じやすい。特に冬など周囲が低温の時には実際の温度と検出する温度の乖離が大きく、低い温度を検出してしまい、その検出した温度を基にヒータの通電を制御すると誤って便座を危険な高温にしてしまう可能性もある。
【０００４】
その課題を解決するために、ヒータに直列に抵抗を接続し、ヒータへの通電開始初期の急激に温度変化するときにはこの抵抗を介してヒータに通電し、そして所定時間後にはこの抵抗を短絡してヒータに通電するよう切り替える方法が提案され、また温度検出器としては時定数が２秒以下のような応答の速いサーミスタを使うこととしている（例えば特許文献１）。
【特許文献１】特開２００５−１１０７５２号公報
【発明の開示】
【発明が解決しようとする課題】
【０００５】
しかしながら、特許文献１に示されている方法は、温度検出器が追従できる程度までヒータのパワーを押さえることであり、高速で加熱できるヒータの特長を十分発揮できない。またサーミスタの素子そのものの時定数は２秒以下であっても、実際には電力消費の大きいヒータの近傍にサーミスタを設置しなければならないため、絶縁性などを含め安全性と信頼性を確保するためには、サーミスタを十分保護しなければならず、そのために応答が犠牲になってしまい、その結果、温度検出の時定数として２秒以下を確保することは非常に困難であるという課題を有していた。
【０００６】
本発明は前記従来の課題を解決するもので、高速で着座面を加熱し、且つ正確に着座面の温度を検出し適温に制御する便座装置を提供することを目的とする。
【課題を解決するための手段】
【０００７】
前記従来の課題を解決するために、本発明の便座装置は着座面を形成する便座ケーシングと、前記便座ケーシング内に内蔵され前記着座面を暖房するヒータと、前記着座面の温度を非接触で検出する非接触温度検出器と、前記ヒータを制御する制御手段を備え、前記ヒータは前記着座面の温度を１秒間に１度以上温度上昇させるものであり、前記制御手段は、前記ヒータにより前記非接触温度検出器で検出する前記着座面の温度をフィードバック制御する構成としたものである。
【０００８】
これによって、便座ケーシング内に内蔵されたヒータで便座の着座面は１秒間に１度以上の高速で温度変化し、その温度を非接触温度検出器で検出して制御手段によりフィードバック制御するので、即時に着座面の温度を検出し適温に制御することが可能になる。
【発明の効果】
【０００９】
本発明の便座装置は、便座の着座面が１秒間に１度以上の高速で温度変化し、その温度を検出してフィードバック制御するので、即時に着座面の温度を検出し適温に制御することが可能になる。そして、必要な時に暖房を即時に立ち上げることができる。
【発明を実施するための最良の形態】
【００１０】
第１の発明は、着座面を形成する便座ケーシングと、前記便座ケーシング内に内蔵され前記着座面を暖房するヒータと、前記着座面の温度を非接触で検出する非接触温度検出器と、前記ヒータを制御する制御手段を備え、前記ヒータは前記着座面の温度を１秒間に１度以上温度上昇させるものであり、前記制御手段は、前記ヒータにより前記非接触温度検出器で検出する前記着座面の温度をフィードバック制御する構成とすることにより、便座ケーシング内に内蔵されたヒータで便座の着座面は１秒間に１度以上の高速で温度上昇し、その温度を非接触温度検出器で検出して制御手段によりフィードバック制御するので、即時に着座面の温度を検出し適温に制御することが可能になる。
【００１１】
第２の発明は、特に、第１の発明の非接触温度検出器は便座の外部に設けた構成とすることにより便座温度の影響を受けにくいので、非接触温度検出器自身の温度が安定し、着座面の温度を正確に素早い応答で検出し適温に制御することが可能になる。
【００１２】
第３の発明は、特に、第１または第２の発明に、便座ケーシングを取り付けた本体部を更に有し、非接触温度検出器は前記本体部に設けた構成とすることにより、非接触温度検出器自身の温度が安定し、着座面の温度を正確に素早い応答で検出し適温に制御することが可能になる。
【００１３】
第４の発明は、特に、第１または第２の発明に、便座ケーシングの上に被せる便蓋を備え、非接触温度検出器は前記便蓋に設けた構成とすることにより、非接触温度検出器自身の温度が安定し、着座面の温度を正確に素早い応答で検出し適温に制御することが可能になる。
【００１４】
第５の発明は、特に、第４の発明の非接触温度検出器は非接触温度検出器自身の温度を検出する基準温度検出器を有し、便蓋が開成状態にあるときは、前記基準温度検出器が検出する温度に基づき通電制御手段がヒータの通電を制御する構成とすることにより、便座使用中など便蓋が開成状態で便座の温度を検出できないときには、基準温度検出器が検出する雰囲気温度により、便座が温度を維持するために必要なヒータの電力を通電制御手段が算出してヒータの通電を制御するので、便座使用中も便座を適温に制御可能である。
【００１５】
第６の発明は、特に、第４の発明に、便蓋を開閉する開閉制御手段を更に有し、非接触温度検出器が検出した温度が所定温度以上になると前記開閉制御手段により便蓋を開ける構成とすることにより、着座時に快適感を損なわない温度になるまで加熱してから便蓋を開けるので、それまでの着座面の温度を検出できると同時に放熱を抑制して無駄な電力消費を抑制することが可能になる。
【００１６】
第７の発明は、特に、第４から第６の発明に、便蓋を開閉する開閉制御手段と、人体が近づいたことを検出する人体検出手段を更に有し、前記人体検出手段が人体を検出すると前記開閉制御手段により便蓋を閉成する構成とすることにより、人が近づくと人体検出手段がそれを検出し、開閉制御手段が便蓋を閉成するので、便座が使用される直前に温度検出して温度制御可能でありまた放熱を抑制して無駄な電力消費を抑制することが可能になる。
【００１７】
第８の発明は、特に、第１から第７の発明の非接触温度検出器は赤外線検出素子を含む構成とすることにより、非接触で温度を検出することが可能になり、温度検出の応答が速く着座面の温度を正確に検出し適温に制御することが可能になる。
【００１８】
以下、本発明の実施の形態について、図面を参照しながら説明する。なお、この実施の形態によって本発明が限定されるものではない。
【００１９】
（実施の形態１）
図１は本発明の第１の実施の形態に係る便座装置を便器１に装着した状態を示す斜視図である。図１に示すように、便座装置２が装着される。タンク３には水道配管が接続されていて、便器１内に洗浄水を供給する。便座装置２は、本体部４、便座部５、便蓋６により構成される。
【００２０】
本体部４には便座部５、便蓋６が開閉自在に取り付けられていて、少なくとも便蓋６は電気的に開閉動作をできる機構と電気回路より成る開閉制御手段を本体部４に内蔵している。また本体部４にはノズル部７を含む洗浄水供給機構が設けられている。
【００２１】
また本体部４には、人体検出手段８を内蔵している。人体検出手段８は反射型赤外線センサとそれを照射、検出する電気回路であり、人体が近づいたときに、照射した赤外線が人体で反射しそれを受光することで人体が近づいたことを検出するものである。
【００２２】
便座部５はヒータを内蔵する便座ケーシングよりなり、その上面は内側を窪ませた着座面を形成している。そのヒータの入／切やヒータの通電時の電力量などを制御する電気回路よりなる通電制御手段は本体部４に内蔵している。また本体部４にはこの便座部５の着座面の温度を検出する非接触温度検出器９を内蔵している。非接触温度検出器９は図中破線Ａで示す範囲を視野として温度検出している。視野範囲Ａは便座部５の後方にあって、使用時でも臀部が接触しない場所で、この部分の温度を検出し、その温度に基づいて通電制御手段がヒータの通電を制御する。
【００２３】
図２に非接触温度検出器９の構成を示す。図２において１０は赤外線検出素子であり、サーモパイルによるものである。そして赤外線検出素子１０は基板１１に固定し、その出力部分と接続したリード線１２を引き出し封止缶１３内に封止蓋１４とフィルタ１５で封止している。フィルタ１５は外乱光をカットするためのものであり、例えば５μｍより短い波長の光をカットする。
【００２４】
また１６は凸レンズであり、封止缶１３内にはアパーチャ１７を設けていて、この凸レンズ１６の焦点と、赤外線検出素子１０の位置関係と、赤外線検出素子１０の面積とアパーチャ１７の面積と位置関係により視野角が決まるものであり、図１におけるＡの範囲を視野とするように設計したものである。
【００２５】
赤外線検出素子１０は素子自身の温度と図１におけるＡの視野範囲の温度との温度差に相関を持った直流電圧を出力するものである。そこで、赤外線検出素子１０自身の温度がわかれば図１における視野範囲Ａの温度が絶対値としてわかることになり、そのために基準温度検出器としてサーミスタ１８を封止蓋１４に密着させていて、サーミスタ１８により赤外線検出素子１０自身の温度を検出している。１９はサーミスタ１８の出力を取り出すためのリード線である。
【００２６】
そしてリード線１２から出力される赤外線検出素子１０の出力と、リード線１９から出力されるサーミスタ１８の出力は、温度検出回路２０に入力している。温度検出回路２０は増幅回路２１、ＡＤ変換回路２２、温度算出回路２３を含む構成である。増幅回路２１は赤外線検出素子１０からの出力電圧を増幅するアナログ回路であり、ＡＤ変換回路２２は増幅回路２１を介して出力された赤外線検出素子１０の出力と、サーミスタ１８の抵抗変化を電圧変化として検出した出力をデジタル値に変換する回路であり、更に温度算出回路２３は数式をプログラムにしたＣＰＵを含み、赤外線検出素子１０からの出力とサーミスタ１８からの出力を加算して温度を算出する。
【００２７】
図３は便座部５を上面より見た場合の模式的透視図である。また図４は図３に示す便座部Ｂ−Ｂ線断面図である。図４に基づいて便座部５の構成について説明する。便座部５は便座表板２４と便座裏板２５の２つの便座ケーシングを備えていて、便座表板２４が着座面を形成している。便座表板２４と便座裏板２５により形成した内部空洞にはヒータ２６を備えている。ヒータ２６は輻射で加熱するランプヒータであり、ガラス管２７の内部にタングステンフィラメント２８を貫通して構成したものである。またランプヒータ２６の下には輻射反射板２９を備えていて、ランプヒータ２６からの輻射エネルギーを便座表板２４に集中させるように構成している。この構成によりランプヒータ２６に電源投入直後から着座面となる便座表板２４を毎秒１度以上の速度で急峻に温度上昇させることができる。
【００２８】
便座表板２４は金属に塗装を施して構成したものであり、ランプヒータ２６からの輻射熱を受けて素早い応答で温度上昇する。また金属により構成しているので、熱伝導が素早く着座面全体の温度を均一にすることができる。そのため、図１に示すＡの領域の温度を検出するだけで、ほぼ着座面全体の温度検出をしていることに等しい条件を作り出している。また塗装を施しているので、金属による光の反射を最小限に抑えることができ、着座面以外の温度の影響や外乱交による影響を受けにくく、精度良く温度検出できる。
【００２９】
再度、図３に基づいて構成と作用を説明する。図３に示すようにランプヒータ２６、輻射反射板２９は着座面に合わせてＵ字形の構成としている。そして通電制御手段３０がランプヒータ２６の通電を制御する。通電制御は電源の入／切制御や位相角制御などにより通電の電力を制御するものである。その通電制御手段３０に信号を送るのが図１や図２で説明した人体検出手段８と非接触温度検出器９である。
【００３０】
人体検出手段８により人が便座装置２に近づいたことを検出すると、通電制御手段３０はランプヒータ２６に通電して、着座面となる便座表板２４を加熱する。一方、非接触温度検出器９は、着座面の図１に示すＡの領域の温度を非接触で検出する。検出した温度が予め設定した温度または使用者が設定した温度より低ければランプヒータ２６に投入する電力を大きくし、高ければ小さくしたり切ったりする。そのようにフィードバック制御することで、着座面の温度を設定温度に保つように制御する。非接触温度検出器９は輻射温度を測定するので、熱伝導で温度を測定するより応答が速く、ランプヒータ２６のように輻射で急速に温度上昇する着座面であっても、その温度上昇に追従して温度測定できる。
【００３１】
本実施の形態の構成では、従来の構成にあったサーミスタにより温度検出する構成の応答と比較し、１秒以下で確実に温度検知を行える応答性能であるので、検知温度に応じて即座にヒータの制御を行うことが可能で、着座部の温度上昇と適温化が即座に行われ、必要時にのみ暖房し省エネで使い勝手のよい便座装置とすることが可能となる。
【００３２】
なお、本実施の形態では、ヒータを１本のランプヒータとした場合について説明したが、このランプヒータは複数本のランプヒータからなる構成、または複数種類のヒータが便座内に内臓された構成などであってもよい。さらに、ヒータが便座内に内蔵されない加熱方式、たとえば、温風を着座面にあてたり、便蓋にヒータを埋め込んだりするような構成で着座部を暖めるような構成としてもよい。
【００３３】
また、本実施の形態では便座が均一加熱されるという前提で、測定部位は着座部と同一温度分布となる着座面とならない場所で測定することとしたが、必要な部位のみ暖房する方式をとり、便座温度が不均一になる場合などは、もっとも温度上昇率の高い部位の温度を検知すると、安全側の制御が可能であるし、平均的な温度を示す部位の温度を検知するように構成しても、適温への昇温と、適温調節が可能である。
また、本実施の形態では非接触温度検知器として、赤外線検出素子であるサーモパイルを含む構成で説明したが、他にも例えば焦電センサなどがあり、この場合には視野を断続するためのチョッパ機構が必要となり構成はやや複雑になるものの、サーモパイルより更に応答が素早く１秒間に数十回の温度検出も可能となるので、更に高速で着座面の温度を上昇させるような構成にでも適用できる。
【００３４】
（実施の形態２）
次に本発明の第２の実施の形態について、図面を用いて説明する。実施の形態１と同一機能を有する部品には同一符号を付し説明を省略する。図５は本発明の便座装置２を便器１に取り付けた構成を説明する側面図である。５は便座部であり、本体部４には便座部５を開閉するモーターなどより成る便座開閉機構３１を備えている。６は便蓋であり、本体部４には便蓋６を開閉する便蓋開閉機構３２を備えている。そして便蓋６には図２で説明した非接触温度検出器９を備えていて、図５に示すように便蓋６を閉じた状態で、便ふたに設けた足部によって便座部５の着座面との間に間隙を設けた構成となり、この間隙を介して、非接触で便座の温度を検出する。また便座開閉機構３１や便蓋開閉機構３２を制御する開閉制御手段があり、それは本体部４内に備えている。
【００３５】
図６は、第２の実施の形態の制御に関係する構成を示すブロック図である。人体検出手段８により人が近づいたことを検出すると、通電制御手段３０と開閉制御手段３３に信号送信し、通電制御手段３０はランプヒータ２６の通電を開始する。また開閉制御手段３３は便蓋開閉機構３２を駆動して便蓋を閉じる。これは便蓋を閉じることで着座面に保温効果をもたらし、より素早く着座面の温度上昇をさせるためであり、また、図５に示したように便蓋６に付けている非接触温度検出器で着座面の温度を検出できるようにするためである。また着座面の温度が低いときに使用者が着座しないようにするためでもある。そして非接触温度検出器９で着座面の温度を検出しながら、その検出した温度に基づき通電制御手段３０がランプヒータ２６の通電を制御する。通常であれば、より早く着座面の温度を上昇させられるよう最大の電力を供給する。
【００３６】
非接触温度検出器９が検出する温度が所定温度に達すれば、開閉制御手段３３に信号出力し、開閉制御手段３３は便蓋開閉機構３２を駆動して便蓋６を開ける。これは着座面の温度が所定温度に達したことで、使用者が快適に着座できる状態になったのでそのことを使用者に知らせ、また着座できるようにするためである。３４は便蓋位置管理部であり開閉制御手段３３からの信号で便蓋６が開成状態なのか、閉成状態なのかを管理している。この便蓋位置管理部３４からの信号は切替部３５に出力される。切替部３５は通電制御手段３０に信号を送信する温度について非接触温度検出器９にするのか、基準温度検出器１８にするのかを切り替えるものである。
【００３７】
即ち便蓋６が閉成状態であれば非接触温度検出器９で着座面の温度を検出できるので、非接触温度検出器９が検出する温度にしたがって通電制御手段３０はランプヒータ２６の通電を制御する。一方、便蓋６が開成状態になると、非接触温度検出器９は着座面の温度を検出できなくなるので、通電制御手段３０は基準温度検出器１８の温度にしたがってランプヒータ２６を制御する。ここで基準温度検出器１８は、実施の形態１で説明したように、非接触温度検出器９自身の温度を検出するものであり、便座装置２が設置されている環境の雰囲気温度を検出している。
【００３８】
ここで雰囲気温度により通電制御手段３０がランプヒータ２６の電力を制御することについて説明する。上記説明したように、便蓋６を開けるときには既に着座面は所定温度に達しているので、その後は所定温度を維持するための電力を供給するだけで良い。その温度を維持するために必要な電力は、雰囲気温度で決まるものであり、例えば雰囲気が２０℃であれば電力として５Ｗあれば維持できるものであり、１０℃であれば１０Ｗ、３０℃以上あれば通電を切っても維持できる。通電制御手段３０は基準温度検出器１８から入力する雰囲気温度に対しては比例し、雰囲気温度が低いほど大きい電力を供給するような関数を予め持っていてそれに従ってランプヒータ２６の通電を制御する。
【００３９】
３６は着座検出手段である。図１〜図５では説明していないが、便座部５に人が着座しているかどうかを検出するためのスイッチ機構であり、この着座検出手段３６は本体部４内に設けている。この着座検出手段３６からの信号は通電制御手段３０に入力している。通電制御手段３０では、この着座検出手段３６により人が便座部５に着座している間は、上記説明したように基準温度検出器１８が検出する雰囲気温度によりランプヒータ２６に供給する電力を制御するが、使用を終了し使用者が立ち上がると、着座検出手段３６により人が着座していないことを検出できるので、通電制御手段３０はランプヒータ２６への通電を切り電力供給を止める。
【００４０】
更に着座検出手段３６からの信号は開閉制御手段３３にも出力している。開閉制御手段３３は着座検出手段３６から着座されていないことの検出を受けると、そこから所定時間経過後に便蓋開閉機構３２を駆動して便蓋６を閉じる。ここで便蓋６を閉じるのは、概観をよくすることと、次に使うために着座面を保温するためである。また所定時間経過後に便蓋６を閉じるのは、使用者は立ち上がった直後に再度着座することがあるので、そのときに便蓋６が閉じていることのないようにするためである。
【００４１】
図７のフローチャートにより、実施の形態２の動作について説明する。ステップＳ１において、人体検出手段８が人が近づいたことを検出するかどうかを判断する。人が近づいたことを検出するとステップＳ２に進む一方、人が近づいたことを検出しなければステップＳ１を繰り返す。ステップ２では、便蓋開閉機構３２を駆動して便蓋６を閉じる。後に説明するが使用終了後には便蓋６は閉じるよう制御しているので、ステップＳ２の前から閉じている場合がほとんどであるが、人為的に開けられたりしている可能性も有り、便蓋６を閉じる出力をする。便蓋６を閉じればステップＳ３に進む。
【００４２】
ステップＳ３ではランプヒータ２６の通電を開始し、ステップＳ４に進む。ステップＳ４では非接触温度検出器９が検出する着座面の温度によりランプヒータ２６の通電を制御し、ステップＳ５に進む。ステップＳ５では着座面の温度が所定の温度に到達したかどうかを判定する。所定の温度とは使用者が不快に感じない温度で例えば３５℃ぐらいの温度である。所定温度に達すればステップＳ６に進む一方、達するまではステップＳ４に戻り、着座面温度によりランプヒータ２６の通電制御を継続する。
【００４３】
ステップＳ６では便蓋６を開ける。そしてステップＳ７では、基準温度検出器１８が検出する雰囲気温度によりランプヒータ２６の通電を制御し、ステップＳ８に進む。ステップＳ８においては、使用者が着座しているかどうかを検出する。使用者が着座していればステップＳ７に戻り雰囲気温度ランプヒータ２６の通電制御を継続する。着座していない状態になると、ステップＳ９に進む。ステップＳ９においてはタイマーのカウントをスタートさせる。そしてステップＳ１０ではランプヒータ２６の通電を停止する。ステップＳ１１ではタイマーのカウントが所定時間を経過したかどうかを判断する。所定時間としては例えば１分である。所定時間を経過すればステップＳ１２に進む一方、まだ経過していなければステップＳ１１で所定時間経過するまで待機する。ステップＳ１２では便蓋６を閉じて、再びステップＳ１に戻り、ここまで説明してきた動作を繰り返す。
【００４４】
図６のフローチャートでは図示していないが、ステップＳ１１で所定時間経過を待機している間に、再度着座を検出すれば、ステップＳ７に戻り雰囲気温度によりランプヒータ２６の通電制御を行ってもよい。また所定時間経過を待機している間に再び人体検出をすればステップＳ２に戻って、便蓋６を閉じても良い。
【００４５】
なお、実施の形態２では非接触温度検出器９が便蓋に内臓され、非接触で便座温度を検知する構成について説明したが、このような構成であって、非接触温度検出器９が赤外線素子を有する場合、非接触温度検出器は接触状態にあっても対象物の温度検知が可能である。よって、便座装置の便蓋と便座が密着して保温性能を向上させた構成としても、同様に作用する。
【産業上の利用可能性】
【００４６】
以上のように、本発明にかかる便座装置は、高速で着座面を加熱し、且つ正確に着座面の温度を検出し適温に制御するので、人が便座に近づいてから加熱を始めても着座するまでには快適な温度にまで温度上昇させることができ、使用していないときには加熱し保温しておく必要がなく省エネルギーにでき、類似の暖房器具や採暖器具にも応用展開が可能である。
【図面の簡単な説明】
【００４７】
【図１】本発明の実施の形態１における便座装置を便器に装着したときの斜視図
【図２】同実施の形態における非接触温度検出器の構成の説明図
【図３】同実施の形態における便座部の構成の説明図
【図４】同実施の形態における便座部の断面図
【図５】本発明の実施の形態２における便座装置の構成の説明図
【図６】同実施の形態における制御の構成の説明図
【図７】同実施の形態における動作の流れを説明するフローチャート
【符号の説明】
【００４８】
２  便座装置
４  本体部
６  便蓋
８  人体検出手段
９  非接触温度検出器
１８  基準温度検出器
２４、２５  便座ケーシング
２６  ヒータ
３０  通電制御手段
３３  開閉制御手段